(57)【要約】【課    題】  ツボに圧力と刺激を与え、持続性のある健康促進体の提供。 【解決手段】  支持体上のチタン化合物等が含有される粘着面になだらかな隆起状曲線からなり、且つチタン系素材によって形成されてなる富士山形の突起を持つの健康促進体。 【選択図面】  図１【実用新案登録請求の範囲】
【請求項１】
支持体上の粘着面にチタン系素材からなる突起を持つツボ刺激体が固着されてなることを特徴とする健康促進体。
【請求項２】
上記ツボ刺激体は、なだらかな隆起状曲線からなる富士山形又は円錐もしくは多角錐台形の突起を持つことを特徴とする請求項１の健康促進体。
【請求項３】
上記チタン系素材として、チタン金属もしくはチタン合金又はチタン化合物の各粉末の単体成形体又は樹脂混合体の成形体を用いることを特徴とする請求項１又は２記載の健康刺激体。       
【請求項４】
上記チタン系素材として、高圧水中で酸素と水素の混合ガスを燃焼させ、その燃焼ガスで金属チタンを加熱することによって得られた粉末化チタン粉末を用いることを特徴とする請求項１〜３のいずれかに記載の健康刺激体。 
【請求項５】
上記粘着面の粘着剤には、チタン系素材が含有されていることを特徴とする請求項１〜４のいずれかに記載の健康促進体。
【請求項６】
上記粘着剤に含まれるチタン系素材として、チタン金属もしくはチタン合金又はチタン化合物の各粉末を用いることを特徴とする請求項１〜５のいずれかに記載の健康促進体。 
【請求項７】
上記粘着剤に含まれるチタン系素材として、炭化チタンを用いることを特徴とする請求項１〜６のいずれかに記載の健康促進体。 
【考案の詳細な説明】
【技術分野】
【０００１】
本考案は、身体のツボ若しくは患部に富士山形又は円錐もしくは多角錐台形状の突起を持つツボ刺激体を接触させることにより血行を促進し、肩凝りや筋肉痛等を癒し、健康の向上に寄与する健康促進体に関する。 
【背景技術】
【０００２】
従来、打撲、捻挫、肩凝り、筋肉通等の比較的軽い症状の治癒には、冷湿布、温湿布などが頻繁に行われている。しかし、このような治癒は症状によって、温、冷の使い分けをする必要があり、専門的な知識を必要とし、湿布剤の厚さで使用部位が嵩ばって使用中に不快感を与えたり、湿布剤の有効時間が短く、取り換え回数が多いため、使用上不便となっている。 
【０００３】
一方、身体のツボを刺激して肩凝り、筋肉痛を軽減することも古くから知られており、粘着テープの面上に磁石、針状物や鉱石等の固型突起体を配置してこれをツボや患部に押し当てて身体の血行を促進し、肩凝り等を癒すものも周知である。例えば、磁石突起体と粘着テープの間に伸縮物を入れてツボに伸縮自在の圧力を加えるもの（実開昭６１−９６９３５号公報）、トルマリン粉末を含有した樹脂体の球形突起を持つツボ刺激体（特開２００１−２７６１７５号公報）、合成樹脂製の段差のある複数の筋状突起と小孔入り粘着テープとを組み合わせて血行促進と通気性を改善したもの（実用新案登録第３０２９２０８号）、金属製の突起体の中心部に孔を設けてツボに圧力と刺激を与えるもの（実用新案登録第３０６５７３１号）等がある。また、ツボ刺激用の突起体が金属、セラミックス、樹脂又は穀粒からなる球状、短い棒状、穀物粒状のもの（特開平１０−９９４０６号公報）、磁石（特開２００１−１７８８３３号公報）も知られている。さらに、足の土踏まず部に適用するためのもの（特開２００１−１７８８３３号公報）が報告されている。 
【特許文献１】実開昭６１−９６９３５号公報
【特許文献２】特開２００１−２７６１７５号公報
【特許文献３】実用新案登録第３０２９２０８号
【特許文献４】実用新案登録第３０６５７３１号
【特許文献５】特開平１０−９９４０６号公報
【特許文献６】特開２００１−１７８８３３号公報
【考案の開示】
【考案が解決しようとする課題】
【０００４】
従来の固型突起を持つ健康促進体は、突起体の頂部が平坦過ぎると、ツボへの刺激効果が少なくなり、逆に頂部針状のものでは、皮膚に食い込み傷跡を残すなどの問題点があった。 
また、素材として金属体を使用する場合、目的形状の形成に手数がかかり、生産性が悪く、支持体上の粘着面への固着も万全でなかった。金属素材として、特に磁性のある金属突起体の場合には、磁力が経時的に低下し、永続的に使用できるものではなかった。また、刺激体の形状も身体に接触する突起先端が丸みを帯びたものであったり、長尺土手状のものであったりして、必ずしもツボや患部への刺激が使用者ニーズを満たすものではなかった。 
【０００５】
本考案は、このような従来の問題点に鑑みてなされたもので、ツボに接触する突起頂部を富士山形又は円錐もしくは多角錐台形状の突起として、ツボに対して強い刺激を与えることによって、肩凝り、筋肉痛等を永続的かつ効果的に癒すことが可能な健康促進体を提供するものである。 
また、本考案では、突起をもつツボ刺激体の素材を金属チタン、チタン合金又はチタン粉末を混入した樹脂素材とすることによって、ツボへの刺激効果も高く、粘着面への固着も強力で、ツボ刺激体が粘着面から剥がれ落ちることもなく、刺激の持続性も高めることができた。また、粘着剤にもチタン系素材を混入することによって刺激効果を高めることが可能となった。
【課題を解決するための手段】
【０００６】
本考案の物品は、基本的に以下の構成を持つ、ツボに対してより強力な刺激を与える健康促進体であることを特徴とするものである。 
（１）支持体上の粘着面にチタン系素材からなる突起を持つツボ刺激体が固着されてなることを特徴とする健康促進体。
（２）上記ツボ刺激体は、なだらかな隆起状曲線からなる富士山形又は円錐もしくは多角錐台形状の突起を持つことを特徴とする上記(1)の健康促進体。
（３）上記チタン系素材として、チタン金属もしくはチタン合金又はチタン化合物の各粉末の単体成形体又は樹脂混合体の成形体を用いることを特徴とする上記の（１）又は（２）に記載の健康刺激体。       
（４）上記チタン系素材として、高圧水中で酸素と水素の混合ガスを燃焼させ、その燃焼ガスで金属チタンを加熱することによって得られた粉末化チタン粉末を用いることを特徴とする上記（１）〜（３）のいずれかに記載の健康刺激体。 
（５）上記粘着面の粘着剤には、チタン系素材が含有されていることを特徴とする上記（１）〜（４）のいずれかに記載の健康促進体。
（６）上記粘着剤に含まれるチタン系素材として、チタン金属もしくはチタン合金又はチタン化合物の各粉末を用いることを特徴とする（１）〜（５）のいずれかに記載の健康促進体。 
（７）上記粘着剤に含まれるチタン系素材として、炭化チタンを用いることを特徴とする上記（１）〜（６）のいずれかに記載の健康促進体。 
【０００７】
上記突起を持つツボ刺激体は、隆起状曲線からなる富士山形又は円錐もしくは多角錐又は円錐もしくは多角錐台形状の突起を形成することのできる素材であれば、合成樹脂、鉄等の金属、セラミックス体等の無機・有機の種々の素材を使用することが可能ではあるが、刺激効果の持続性からみて、金属チタン自体又はチタンを含む合金の単体、あるいはチタン粉末やチタン合金粉末を樹脂素材に混合したチタン系素材を用いるのが適当である。 
前者の金属単体は、金属チタン粉末又はチタン合金粉末を焼結成形等の公知手段によって隆起状曲線からなる富士山形の突起を形成すればよい。 
【０００８】
後者のチタン系素材としては、金属チタン、チタン合金を用いることができるが、このほかに、チタン原子を含有する化合物であればよく、ルチル、イタチタン石、エイスイ石等の鉱物を使用することができる。また、チタン合金としては、チタンと、銅、スズ、鉄、アルミニウム、クロム、コバルト、モリブデン、タングステン等の金属との合金を使用できる。例えば、チタン合金としては、Ｔｉ−Ａｌ、Ｔｉ−Ｖ、Ｔｉ−Ｍｏ、Ｔｉ−Ｃｒ、Ｔｉ−Ｍｎ、Ｔｉ−Ｆｅ、Ｔｉ−Ａｌ−Ｃｒ、Ｔｉ−Ｃｒ−Ｆｅ−Ｏ等があり、それそれの合金の組成比を任意のものを用いることができる。 
【０００９】
さらに、チタン化合物として、ＴｉＨ２、ＴｉＨ４等の水素化物、ＴｉＯ、Ｔｉ２Ｏ３、ＴｉＯ２、Ｔｉ（ＯＨ）２、Ｔｉ（ＯＨ）３、Ｍ２ＴｉＯ３（Ｍは金属原子）等の酸化物、ＴｉＳ、Ｔｉ２Ｓ３、ＴｉＳ２等の硫化物、Ｔｉ２（ＳＯ４）３、Ｔｉ（ＳＯ４）２、ＴｉＰ２Ｏ７等の酸素酸塩、Ｔｉ２Ｂ、ＴｉＢ、ＴｉＢ２、Ｔｉ２Ｂ５等のホウ化物、ＴｉＣからなる炭化チタン、ＴｉＳｉ２、ＴｉＳｉ、Ｔｉ５Ｓｉ３等のケイ化物、ＴｉＮ、Ｔｉ３Ｎ４、Ｔｉ３Ｎ６、Ｔｉ５Ｎ６等の窒化物、ＴｉＰｎ等のリン化物、ＴｉＣｌ２、ＴｉＣｌ３、ＴｉＣｌ４、ＴｉＢｒ２、ＴｉＢｒ３、ＴｉＢｒ４、ＴｉＩ２、ＴｉＩ３、ＴｉＩ４ 等のチタンとハロゲンとの化合物、Ｍ２ＴｉＦ５、Ｍ３ＴｉＦ６、Ｍ２ＴｉＦ６、Ｍ２［ＴｉＣｌ５（ＯＨ）２］、Ｍ２ＴｉＣｌ６、［Ｔｉ（ＯＨ）６］Ｃｌ３、Ｍ２［ＴｉＢｒ６］等の複合塩、ＣａＴｉＯ３、ＳｒＴｉＯ３、ＢａＴｉＯ３、ＣｄＴｉＯ３、ＰｂＴｉＯ３等のチタン酸塩を単独又は併用で用いることができる。チタン粉末やチタン合金粉末の中では、とりわけ高圧水中で酸素と水素の混合ガスを燃焼させ、その燃焼ガスで金属チタンを加熱し、粉末化したチタン粉末を用いるのが適当である（特許第３５０７０６３号）。 
【００１０】
一方、チタン粉末又はチタン合金粉末を樹脂に混入して用いる場合には、ポリエチレンやポリプロピレン等の樹脂素材に上記チタン粉末を混入して圧縮成型等により同様に富士山形又は円錐もしくは多角錐台形状の突起を持つツボ刺激体を製造する。 
合成樹脂素材としては、ポリエチレンやポリプロピレンの外に塩化ビニル樹脂、ポリエステルやポリプロピレンなどのポリオレフィン樹脂、ナイロンのようなポリアミド樹脂その他の公知の常温で硬度の高い樹脂が適当である。樹脂素材とチタン粉末の混合比は、格別限定されるものではなく、最高で５０重量％程度までのチタン粉末又はチタン合金粉末を用いることができる。 
【００１１】
上記ツボ刺激体を支持体に固着するための粘着剤としては、ツボや患部の周囲において体内電流の制御による血行の促進を図るため、チタン系素材を含有した粘着剤を使用するのが好ましい。チタン系素材としては、ツボ刺激体の製造に用いるのと同様に金属チタン、チタン合金又は前述のチタン化合物を用いることができるが、好適には炭化チタンである。 
【考案の効果】
【００１２】
本考案の健康促進体は、なだらかな隆起曲線からなる富士山形又は円錐もしくは多角錐台形状の突起を形成したツボ刺激体を用いているので、身体各所に貼着された際、上記突起が身体の表面に点状に食い込むべく圧接保持され、突起が身体のツボ若しくは患部に対して強弱を付けた刺激が確実に与えられる。
上記支持体には、チタン系物質を含有した粘着剤を使用しており、チタン材よりなる上記ツボ刺激体とともに、患部及び患部周辺の体内電流の制御を確実にすることができ、血行の促進による老廃物の排除が可能となり、肩凝りや痛みの軽減解消が可能となる。 
さらに、ツボ刺激体は、チタン系素材からなり、且つ、なだらかな曲線の富士山形又は円錐もしくは多角錐台形状の突起を形成してなることによって、身体に貼着された際、上記突起が身体の表面に点状に食い込み、粘着剤に含有されているチタン系物質や、ツボ刺激体のチタン材による体内電流の制御のため、従来の如く磁性体を用いることなくツボや患部を適正に刺激して血行を促進し、肩凝りや筋肉痛を癒すことができるという効果を奏する。 
【考案を実施するための最良の形態】
【００１３】
次に本考案の実施の一例を図面を参照しながら説明する。 
図１は、本考案の健康促進体の斜視図、図２は本考案の健康促進体の断面図、図３は裏面側からみた平面の概念図、図４は表面側からみた平面の概念図、図５は図４の部分拡大図、図６は製品断面図である。 
さらに詳細に説明すると、本考案の健康促進体１０は、円形の支持体１の粘着面４上に配置された突起頂部３を有するツボ刺激体２とから構成されている。身体各所には、この状態で突起頂部３がツボ中心に接触するように、粘着剤４によって貼り付け可能になっている。 
なお、ツボ刺激体２や粘着剤は、上述するようにチタン系素材から構成されていることが必要である。
【００１４】
支持体１は、図２に示すように円形の支持体の片面に粘着剤４が塗布されたもので、支持体の素材は、数日間の突起体の使用に耐える素材であればよく、例えば布やプラスチックフィルム等のシートを使用すればよい。片面の粘着面には、突起刺激体２が中心部に粘着固着されている。ツボ刺激体２は、上述するようなチタン系素材によって形成されており、突起３は、チタン系素材の粉末成形法等の適宜の成形法で上述するようななだらかな隆起曲線からなる富士山形の突起を形成している。このとき、富士山形の突起に変えて円錐もしくは多角錐台形状の突起（図示せず）を設けることもできる。
図３は、支持体１に固着した健康促進体１０を裏側からみた概念図を示す。
図３の点線は透視的にみたときのもので、切込み線７を備えた台紙５状に支持体１（片面に粘着剤４が配置）が規則的に配置されている。実線７は可視部分を、点線７’は透視部分を示す。 
【００１５】
図４は、同様に図３の反対側（表面）からみた概念図を示す。図５は、その図４の拡大図で、支持体１に固着した健康促進体１０を示す。台紙５には、図４に示すように小孔６（中円）が規則的に穿孔されている。図５中、８は支持体１の端部（大円）を示す。小孔６（中円）の中央部には、図４、図５に示すように突起２の端部（小円）及び突起頂点３がある。 
図６は、図３（表面）及び図４（裏面）に示す健康促進体１０の断面図で、この状態で製品となっている。使用時には、健康促進体１０が切込み線７により台紙５から簡単に剥離することができ、身体の局部に粘着剤４によって簡単に貼着できる。ツボ刺激体２の富士山形又は円錐もしくは多角錐台形状（図示せず）の突起３が身体のツボに点状に食い込み、圧接保持される。結果としてツボ部分の血行を促進し、粘着剤に含有されるチタン系材素材とツボ刺激体のチタン素材による相乗作用によって、体内電流の制御し、肩凝りや筋肉痛等を癒すことができる。本考案の健康促進体の効き目は、磁性体を用いたものと違って、身体から取り外さない限り、持続性がある。
【図面の簡単な説明】
【００１６】
【図１】本考案の健康促進体の斜視図
【図２】健康促進体の断面図
【図３】健康促進体の平面の概念図（裏面）
【図４】健康促進体の平面の概念図（表面）
【図５】図４の部分拡大図
【図６】健康促進体の製品断面図
【符号の説明】
【００１７】
１．支持体２．ツボ刺激体３．突起４．粘着剤 ５．支持体 ６．支持体の小孔７．切込み線 ７’．切込み線（透視部） ８．支持体外縁 １０．健康促進体
【図１】
0003104088.tif 000002
【図２】
0003104088.tif 000003
【図３】
0003104088.tif 000004
【図４】
0003104088.tif 000005
【図５】
0003104088.tif 000006
【図６】
0003104088.tif 000007